(57)【特許請求の範囲】
【請求項１】
基体の結合孔に、コア体のボス部を嵌合して結合保持手段を介して結合するコアドリルであって、結合保持手段が、基体の結合孔内壁に突設した複数個の係合突起と、該係合突起に対応してボス部周面に形設した係合溝からなるものにおいて、係合溝の一つを、ボス部上面から軸心方向にスリットを切り込んで形設した弾性片の外面に設けるとともに、弾性片の基部に、弾性片の変形を生じさせる溝状薄肉部を基部周方向に形成し、前記係合溝の途中に隆起部を設け、該隆起部を基体の係合突起が乗り越える時に弾性片を溝状薄肉部からボス部中心向けに弾力的に変形させて乗り越えさせることを特徴とするコアドリル。
【発明の詳細な説明】
【０００１】
【発明の属する技術分野】
本発明は、コアドリルに関するものであり、更に詳しくは、比較的大口径の穴を刳り抜き状に穿穴するのに用いるコアドリルに関するものである。
【０００２】
【従来の技術】
従来より、比較的大口径の穴を穿穴するコアドリルとしては、多種多様のコアドリルが開発され市販されており、穿穴作業を円滑に遂行するために、センタードリルとコア体を組合せ、センタードリルでセンター孔を先行させてこの後からコア体による大口径穴を穿穴するコアドリルも広く実用されている。
【０００３】
また、この種のコアドリルで、駆動軸のチャックにより支持されるシャンクを有する基体とコア体を着脱自在に結合した構成のものは、穿穴後に両者を分離してコア体内に残る切抜き廃材の抜き取りが簡単にでき、穿穴刃の折損したコア体を新品のコア体に交換したり、被穿穴対象物の性状に合わせて作られた種類の異なる穿穴刃を有する複数のコア体を用意し、これらのコア体を交換して物性が異なる被穿穴対象物に穿穴するような時に便利なものである。
【０００４】
このように基体とコア体を着脱自在に結合したコアドリルの具体例として、シャンクを有する基体にコア体取付け部を形成し、このコア体取付け部周面に、コア体取付け部の下端から母線方向に形成した縦溝部に続いて周方向に横溝部を連成した鈎状の係合溝を凹設し、コア体取付け部内に、係合溝内に出没するボールをばねにより付勢して配装し、コア体上部には、コア体取付け部が嵌挿される取付け筒部を設け、この取付け筒部の内面に、係合溝に係脱する係合突起を突設した構成のものがある。このように構成したコアドリルは、基体とコア体を結合する時に、係合突起が係合溝に突出するボールをばねに抗して乗り越え、係合突起が係合溝端部に到達すると、ボールがばねの付勢下に係合溝内に突出して係合突起を係合溝端部に保持し、穿孔作業中に基体とコア体との結合関係に緩みを生じさせないものである。（先行技術としては、例えば、実公平７−３９５２７号公報参照）
【０００５】
【発明が解決しようとする課題】
上記するように、基体とコア体を着脱自在に結合したコアドリルで、基体とコア体を結合して係合突起を係合溝端部に保持するために、係合溝内に出没するボールと、これを付勢するばねを配装した構成のものは、この分、部品点数が多くなる。また、これらの部品をコア体取付け部内に組み付けのための加工工数も増える。
【０００６】
そこで、本発明の課題は、ボール又はこれを付勢するばね等の部品を必要とせず、部品点数を減らし、基体とコア体を結合させて両者の結合関係を確り保持できる構成を簡素化したコアドリルを提供することを目的としたものである。
【０００７】
【課題を解決するための手段】
上記目的を達成するために、本発明のうち請求項１記載の発明は、基体の結合孔に、コア体のボス部を嵌合して結合保持手段を介して結合するコアドリルであって、結合保持手段が、基体の結合孔内壁に突設した複数個の係合突起と、該係合突起に対応してボス部周面に形設した係合溝からなるものにおいて、係合溝の一つを、ボス部上面から軸心方向にスリットを切り込んで形設した弾性片の外面に設けるとともに、弾性片の基部に、弾性片の変形を生じさせる溝状薄肉部を基部周方向に形成し、前記係合溝の途中に隆起部を設け、該隆起部を基体の係合突起が乗り越える時に弾性片を溝状薄肉部からボス部中心向けに弾力的に変形させて乗り越えさせることを特徴とする。
【０００８】
ここで、基体は、その上面中央に、駆動軸のチャックにより支持されるシャンクを有し、下面中央に、センタードリル又はセンターピンが取着される。コア体は円筒状をなし、その下端開口縁に、複数個の切削刃を形成し、切削刃に対応してコア体に切り屑排出溝を設けたもので、コア体による穿穴には、センタードリル又はセンターピンを先行させて穿穴するようにした構成では公知のものと同じである。
【０００９】
本発明のコアドリルでは、基体に下向きに開口した結合孔を形成し、基体とコア体を結合する時に、この結合孔にコア体のボス部を嵌合し、この嵌合過程で弾性片を弾力的に変形させ、最終的に弾性片を原状に復帰させて基体とコア体の結合関係を確り保持する。従って、基体とコア体を一体に保つ上で、ボス部に形設した弾性片が、従来のボールとこれを付勢するばねと同等の機能を発揮するもので、部品点数を減らし、構成を簡素化できる。
【００１０】
前記構成において、結合保持手段をなす係合溝は、ボス部及び弾性片の上面から母線方向に形成した縦溝部に続いて周方向に横溝部を連成して鈎状に形成し、弾性片に配する係合溝の途中に設ける隆起部は横溝部の入口付近に設けるのがよい。
【００１１】
このように構成すると、基体とコア体を結合する時に、係合突起は係合溝の縦溝部を軸心方向に移動して基体下面がコア体の頂盤面に当接し、これより基体とコア体を相対的に周方向に回わすと、係合突起は横溝部に移動するが、ここで、係合突起は弾性片基部の溝状薄肉部の弾力に抗し弾性片を基部から変形させて隆起部を乗り越えて係合溝端部に落着する。こうして、人為的に、基体とコア体を逆向きに周方向に回さない限りは、基体とコア体が分離することはなく、基体とコア体の結合関係が確り保持される。従って、振動的な打撃力と回転の両作用を同時に与えて穿穴する回転ハンマードリル等に使用しても、穿穴作業途中に基体とコア体との結合関係に緩み (がた付き) を生じることがないので、コンクリートや石材等に対する穿穴作業に好適する。
【００１２】
また、ボス部に形設される弾性片は、ボス部に対して、係合溝の切削加工等を含め、一通りのボス部の成形加工を終えてからスリット切削加工を汎用の回転切削刃を使用するなどして追加するだけで簡単に形設できる。また、基体とコア体を分離した状態では、弾性片はボス部の一部として常に人目につくので、弾性片の異常を発見するようなことも簡単にできる。
【００１３】
また、基体にコア体を着脱する時の弾性片の変形は、弾性片外面に凹設した係合溝の有無等に関係なく、溝状薄肉に形成した弾性片基部からの曲がりとなり、弾性片は、結合保持手段として又はボス部の一部として又はボス部の一部として形態的にも長期に亘って安定したものとなる。
【００１４】
【発明の実施の形態】
以下、本発明の実施の形態を図面に基づいて具体的に説明する。
【００１５】
図１は本発明のコアドリルの一部を欠除した分解正面図、図２は図１のＡ−Ａ線における断面図、図３は図１のＢ−Ｂ線における断面図、図４は本発明の実施の形態を示すボス部の弾性片部分の正面図である。
【００１６】
図において、１は基体、２は基体に対し着脱自在に結合されるコア体、３は基体下部に取着したセンタードリルを示す。
【００１７】
基体１には、下向きに開口した結合孔４を形成し、基体１の上面中央に駆動軸のチャックにより支持されるシャンク５を設け、基体１の下面中央に設けたドリル取付け孔３ａにセンタードリル３の基部を嵌入して側方から螺装したヒット用ビス３ｂによって脱着自在に取着している。
【００１８】
コア体２は頂盤６を有する円筒状をなすもので、下端開口縁に複数個の切削刃７を形成し、切削刃７に対応してコア体２に切り屑排出溝８を設け、頂盤６上面に基体１の結合孔４に嵌合するボス部９を設け、このボス部９には、ボス部上面から軸心方向に平行してボス部基部まで切り込んだ適宜幅の直状スリット１１ａで弾性片１１を形設し、これをボス部中心向けに弾力的に変形可能にしている。この場合の弾性片１１の変形（曲がり）は弾性片基部から生じさせるために、実施の形態では、弾性片１１の基部周方向に、溝状薄肉部１２を形成している。
【００１９】
基体１とコア体２の結合関係を保持する結合保持手段１０として、基体１の結合孔内壁の３箇所に係合突起１３を突設し、この係合突起１３に対応してボス部周面２箇所と、弾性片外面に係合溝１４を設けている。実施の形態の係合溝１４は、ボス部９及び弾性片１１の上面から母線方向に形成した縦溝部１４ａに続いて周方向に横溝部１４ｂを連成して鈎状に形成し、弾性片１１の係合溝１４の横溝部入口付近に隆起部１５を設けている。また、実施の形態の係合突起１３は、基体１の対応箇所に、基体外側から適宜の大きさ（直径）の有底孔１３ａを穿孔し、この孔底を結合孔向けに打出し加工して結合孔内壁から球面状に隆起する係合突起１３を形成している。
【００２０】
上記構成において、基体１とコア体２を結合するには、基体１の結合孔４にボス部９を嵌合させると、この嵌合を深める過程で係合突起１３は係合溝１４の縦溝部１４ａを移動し、基体１下面がコア体２の頂盤面に当接する。これより基体１とコア体２を相対的に周方向に回わすと、弾性片１１の係合孔１４を移動する係合突起１３は、弾性片１１の基部に設けた溝状薄肉部１２から曲がる弾力に抗して隆起部１５を乗り越えて係合溝端部に落ち着き、弾性片１１の曲がりは直ぐに原状に復帰して基体１とコア体２の結合関係は確り保持される。こうして、人為的に、基体１とコア体２を結合した時と逆向きに周方向に回さない限りは、基体１とコア体２が分離することはなく、基体１とコア体２は一体に保たれる。
【００２１】
【発明の効果】
本発明は、以上説明したような形態で実施され、本発明によれば、ボス部に形設した弾性片により、基体とコア体の結合関係が確り保持されるので、特に、穿穴刃として超硬チップからなる切削刃付きのコア体を用い、回転ハンマードリル等に使用して安定した信頼性の高い穿穴を実現する。また、弾性片は、コア体のボス部に対する切削加工により簡単に形設できるので、部品が増えることもなく、安価に提供できる。
【図面の簡単な説明】
【図１】本発明の実施の形態を示すコアドリルの一部を欠除した分解正面図である。
【図２】図１のＡ−Ａ線における断面図である。
【図３】図１のＢ−Ｂ線における断面図である。
【図４】本発明の実施の形態を示すボス部の弾性片部分の正面図である。
【符号の説明】
１  基体
２  コア体
３  センタードリル
３ａ  ドリル取付け孔
３ｂ  ヒット用ビス
４  結合孔
５  シャンク
６  頂盤
７  切削刃
８  屑排出溝
９  ボス部
１０  結合保持手段
１１  弾性片
１１ａ  直状スリット
１２  薄肉部
１３  係合突起
１３ａ  有底孔
１４  係合溝
１４ａ  縦溝部
１４ｂ  横溝部
１５  隆起部
【図１】
0003567085.tif 000002
【図２】
0003567085.tif 000003
【図３】
0003567085.tif 000004
【図４】
0003567085.tif 000005